(57)【特許請求の範囲】
【請求項１】
本体ケース（１）と、肌面を冷却するヘッド（２）と、ヘッド（２）を冷却するための熱電変換素子（４４）を含む冷却部（１２）と、冷却部（１２）に接続される放熱用のヒートシンク（３０）と、ヒートシンク（３０）に熱交換風を供給する送風手段（３１）と、発音表示手段（９５）とを備えており、
本体ケース（１）に設けられるスイッチ（３・４）の操作により、熱電変換素子（４４）および送風手段（３１）の駆動が開始され、所定時間が経過すると送風手段（３１）の駆動が停止され、さらに所定時間が経過すると熱電変換素子（４４）の駆動が停止され、
所定時間が経過して送風手段（３１）の駆動が停止された後、所定時間後に発音表示手段（９５）を駆動することを特徴とする美容器具。
【請求項２】
本体ケース（１）と、肌面を冷却するヘッド（２）と、ヘッド（２）を冷却するための熱電変換素子（４４）を含む冷却部（１２）と、冷却部（１２）に接続される放熱用のヒートシンク（３０）と、ヒートシンク（３０）に熱交換風を供給する送風手段（３１）と、発音表示手段（９５）とを備えており、
本体ケース（１）に設けられるスイッチ（３・４）の操作により、熱電変換素子（４４）および送風手段（３１）の駆動が開始され、所定時間が経過すると送風手段（３１）の駆動が停止され、さらに所定時間が経過すると熱電変換素子（４４）の駆動が停止され、
所定時間が経過して送風手段（３１）の駆動が停止されたときに発音表示手段（９５）を駆動し、さらに熱電変換素子（４４）の駆動終了前に発音表示手段（９５）を駆動することを特徴とする美容器具。
【請求項３】
所定時間が経過して送風手段（３１）の駆動が停止された後、所定時間後に発音表示手段（９５）を駆動し、さらに熱電変換素子（４４）の駆動終了前に発音表示手段（９５）を駆動することを特徴とする請求項１に記載の美容器具。
【請求項４】
本体ケース（１）と、肌面を冷却するヘッド（２）と、ヘッド（２）を冷却するための熱電変換素子（４４）を含む冷却部（１２）と、冷却部（１２）に接続される放熱用のヒートシンク（３０）と、ヒートシンク（３０）に熱交換風を供給する送風手段（３１）と、発音表示手段（９５）とを備えており、
本体ケース（１）に設けられるスイッチ（３・４）の操作により、熱電変換素子（４４）および送風手段（３１）の駆動が開始され、所定時間が経過すると送風手段（３１）の駆動が停止され、さらに所定時間が経過すると熱電変換素子（４４）の駆動が停止され、
所定時間が経過して送風手段（３１）の駆動が停止されたときに発音表示手段（９５）を駆動し、さらに熱電変換素子（４４）の駆動終了前に発音表示手段（９５）を駆動し、さらに熱電変換素子（４４）の駆動が終了すると発音表示手段（９５）を駆動することを特徴とする美容器具。
【請求項５】
所定時間が経過して送風手段（３１）の駆動が停止された後、所定時間後に発音表示手段（９５）を駆動し、さらに熱電変換素子（４４）の駆動終了前に発音表示手段（９５）を駆動し、さらに熱電変換素子（４４）の駆動が終了すると発音表示手段（９５）を駆動することを特徴とする請求項１または３に記載の美容器具。
【発明の詳細な説明】
【技術分野】
【０００１】
本発明は、肌を冷やす美容器具に関する。
【背景技術】
【０００２】
この種の美容器具として、美容器本体のヘッドの内面にペルチェ素子を配置しておき、ペルチェ素子で冷却された冷却板で顔肌を冷却して、肌の状態を向上する美容器具が公知である（特許文献１）。そこでは、ペルチェ素子の高温面側に熱良導体からなる放熱基台を接合し、さらに放熱基台の外面に放熱フィンを接合している。また、送風手段で生成した冷却風で放熱フィンを冷却することによりペルチェ素子の放熱を促進して、同素子が過熱状態に陥るのを防止している。冷却風は、美容器本体のマッサージヘッドの周囲に開口した吸込み口から吸い込まれ、美容器本体の下端に開口した排出口から外部へ放出される。なお、放熱フィンは、筒体の周面に一群のフィンを放射状に突設して構成してある。
【０００３】
同様の美容器具は特許文献２にも見ることができ、そこでは、顔肌をプローブで交互に加熱し、あるいは冷却しながら美容器本体を振動させて、美容効果を向上できるようにしている。そのために、モーターと、その出力軸に固定される偏心重りとからなるバイブレータを美容器本体の内部に配置している。美容器本体の内部には、ペルチェ素子の放熱を促進する送風手段が設けてある。
【０００４】
さらに、特許文献３の美容器具においては、ヘッドをペルチェ素子で冷却し、肌面に微弱なパルス電流を通電することにより、化粧水等をイオン導入作用によって肌に浸透できるようにしている。
【先行技術文献】
【特許文献】
【０００５】
【特許文献１】特許第３１４２８６０号公報（第２頁左欄２０〜２７行、第１図）
【特許文献２】特開２００１−１９０５８６号公報（段落番号００１５、図１）
【特許文献３】特開２００２−３４５９７６号公報（段落番号００２１、図７）
【発明の概要】
【発明が解決しようとする課題】
【０００６】
特許文献３の美容器具では、放熱促進用の送風手段が設けられず、ヘッドを冷却するまでに時間を要する。特許文献１および特許文献２の美容器具では、放熱促進用の送風手段は設けられているが、冷却されたヘッドを肌面に接触させて冷却の手入れを行うときも送風手段が通常の回転数で回り続けていれば、その分、電力を消費する。また、送風手段や、それを駆動するモーターから発する耳障りな音を伴うため、安らかな気持ちで手入れを行うことができない。
また、特許文献１の美容器具では、ペルチェ素子の放熱作用を促進するために、美容器本体の内部に送風手段を配置し、美容器本体の上下に冷却風の吸込み口と排出口とを開口している。そのため、単に冷却された冷却板を顔肌に押当てて冷却する限りは問題ないが、特許文献３の美容器具のように、化粧水を併用して肌面の冷却を行うような場合に問題を生じる。詳しくは、化粧水が冷却風の吸込み口や排出口から美容器本体の内部に入り込み、美容器本体の内部に配置した回路基板や、回路基板に実装された電子部品等に付着して、回路の短絡や、誤作動を生じるおそれがある。また、この種の美容器本体の内部に配置した回路基板には、ペルチェ素子や送風手段の駆動状態を制御する制御回路、あるいはイオン導入用のパルス電流を生成するための電流調整回路などが組み込んであるが、回路基板に実装された電子部品が熱交換後の温風に晒されて過熱状態に陥り、誤作動を生じるおそれがある。
【０００７】
本発明の目的は、ヘッドの冷却準備時間を短くするとともに、電力消費量を低減できる美容器具を提供することにある。
【課題を解決するための手段】
【０００８】
本発明の美容器具は、本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、発音表示手段９５とを備えており、本体ケース１に設けられるスイッチ３・４の操作により、熱電変換素子４４および送風手段３１の駆動が開始され、所定時間が経過すると送風手段３１の駆動が停止され、さらに所定時間が経過すると熱電変換素子４４の駆動が停止される。所定時間が経過して送風手段３１の駆動が停止されたときに発音表示手段９５が駆動する。
【０００９】
また、所定時間が経過して送風手段３１の駆動が停止された後、所定時間後に発音表示手段９５を駆動する。
【００１０】
また、所定時間が経過して送風手段３１の駆動が停止されたときに発音表示手段９５を駆動し、さらに熱電変換素子４４の駆動終了前に発音表示手段９５を駆動する。
【００１１】
また、所定時間が経過して送風手段３１の駆動が停止された後、所定時間後に発音表示手段９５を駆動し、さらに熱電変換素子４４の駆動終了前に発音表示手段９５を駆動する。
【００１２】
また、所定時間が経過して送風手段３１の駆動が停止されたときに発音表示手段９５を駆動し、さらに熱電変換素子４４の駆動終了前に発音表示手段９５を駆動し、さらに熱電変換素子４４の駆動が終了すると発音表示手段９５を駆動する。
【００１３】
また、所定時間が経過して送風手段３１の駆動が停止された後、所定時間後に発音表示手段９５を駆動し、さらに熱電変換素子４４の駆動終了前に発音表示手段９５を駆動し、さらに熱電変換素子４４の駆動が終了すると発音表示手段９５を駆動する。
【００１４】
さらに、本発明の美容器具は、本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、発音表示手段９５とを備えており、本体ケース１に設けられるスイッチ３・４の操作により、熱電変換素子４４および送風手段３１の駆動が開始され、所定時間が経過すると送風手段３１の駆動が制限され、さらに所定時間が経過すると熱電変換素子４４の駆動が停止される。所定時間が経過して送風手段３１の駆動が停止されたときに発音表示手段９５が駆動する。
【００１５】
また、所定時間が経過して送風手段３１の駆動が制限された後、所定時間後に発音表示手段９５を駆動する。
【００１６】
また、所定時間が経過して送風手段３１の駆動が制限されたときに発音表示手段９５を駆動し、さらに熱電変換素子４４の駆動終了前に発音表示手段９５を駆動する。
【００１７】
また、所定時間が経過して送風手段３１の駆動が制限された後、所定時間後に発音表示手段９５を駆動し、さらに熱電変換素子４４の駆動終了前に発音表示手段９５を駆動する。
【００１８】
また、所定時間が経過して送風手段３１の駆動が制限されたときに発音表示手段９５を駆動し、さらに熱電変換素子４４の駆動終了前に発音表示手段９５を駆動し、さらに熱電変換素子４４の駆動が終了すると発音表示手段９５を駆動する。
【００１９】
また、所定時間が経過して送風手段３１の駆動が制限された後、所定時間後に発音表示手段９５を駆動し、さらに熱電変換素子４４の駆動終了前に発音表示手段９５を駆動し、さらに熱電変換素子４４の駆動が終了すると発音表示手段９５を駆動する。
【発明の効果】
【００２０】
本発明においては、本体ケース１に設けられるスイッチ３・４の操作により、熱電変換素子４４および送風手段３１の駆動が開始され、所定時間が経過すると送風手段３１の駆動が停止され、さらに所定時間が経過すると熱電変換素子４４の駆動が停止されるように制御した。これによって、ヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが低減する。これにより使用者は音の変化を認識し使用の可否を判断できるため使い勝手が向上する。また、所定時間が経過して送風手段３１の駆動が停止されたときに発音表示手段９５を駆動することにより、使用者に冷却準備が完了し使用可能時間であることを認識させることができる。ここで、送風手段３１の駆動が停止されたとき発音表示手段９５を駆動するとは、送風手段３１の駆動が停止したちょうどそのときや、或いは、送風手段３１の停止から僅かに時間をおいて、発音表示手段９５を駆動することも含むものである。
【００２１】
所定時間が経過して送風手段３１の駆動が停止された後、所定時間後に発音表示手段９５を駆動することにより、送風手段３１の駆動音が低下してからの発音表示となるため、使用者に冷却準備が完了していることを認識させやすい。
【００２２】
所定時間が経過して送風手段３１の駆動が停止されたときに発音表示手段９５を駆動し、さらに熱電変換素子４４の駆動終了前に発音表示手段９５を駆動することにより、使用者に冷却準備が完了し使用可能時間であることを認識させることができるとともに、熱電変換素子４４の駆動の終了、すなわち冷却使用時間の終了を、その終了前に音により認識させることができる。
【００２３】
所定時間が経過して送風手段３１の駆動が停止された後、所定時間後に発音表示手段９５を駆動し、さらに熱電変換素子４４の駆動終了前に発音表示手段９５を駆動することにより、送風手段３１の駆動音が低下してからの発音表示となるため、使用者に冷却準備が完了していることを認識させやすい。また、熱電変換素子４４の駆動の終了、すなわち冷却使用時間の終了を、その終了前に予め音により認識させることができる。
【００２４】
所定時間が経過して送風手段３１の駆動が停止されたときに発音表示手段９５を駆動し、さらに熱電変換素子４４の駆動終了前に発音表示手段９５を駆動し、さらに熱電変換素子４４の駆動が終了すると発音表示手段９５を駆動することにより、使用者に冷却準備が完了し使用可能時間であることを認識させることができるとともに、熱電変換素子４４の駆動の終了、すなわち冷却使用時間の終了を、その終了前に音により認識させることができる。さらに、冷却使用時間の終わりを告げる発音を行うことで、使用者は安心して美容器具の使用を終えることができる。
【００２５】
所定時間が経過して送風手段３１の駆動が停止された後、所定時間後に発音表示手段９５を駆動し、さらに熱電変換素子４４の駆動終了前に発音表示手段９５を駆動し、さらに熱電変換素子４４の駆動が終了すると発音表示手段９５を駆動することにより、送風手段３１の駆動音が低下してからの発音表示となるため、使用者に冷却準備が完了していることを認識させやすい。また、熱電変換素子４４の駆動の終了、すなわち冷却使用時間の終了を、その終了前に予め音により認識させることができる。さらに、冷却使用時間の終わりを告げる発音を行うことで、使用者は安心して美容器具の使用を終えることができる。
【００２６】
さらに、本発明においては、本体ケース１に設けられるスイッチ３・４の操作により、熱電変換素子４４および送風手段３１の駆動が開始され、所定時間が経過すると送風手段３１の駆動が制限され、さらに所定時間が経過すると熱電変換素子４４の駆動が停止されるように制御した。これによって、ヘッド２の冷却準備時間を短くできるとともに、送風手段３１の駆動が制限されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が制限されるため使用者が快適に肌の手入れを行うことができる。しかも、冷却準備時間中は、送風手段３１の回転による音が発生していたものが準備時間が終了すればそれが低減する。これにより使用者は音の変化を認識し使用の可否を判断できるため使い勝手が向上する。また、所定時間が経過して送風手段３１の駆動が停止されたときに発音表示手段９５を駆動することにより、使用者に冷却準備が完了し使用可能時間であることを認識させることができる。ここで、送風手段３１の駆動が制限されたとき発音表示手段９５を駆動するとは、送風手段３１の駆動が停止したちょうどそのときや、或いは、送風手段３１の停止から僅かに時間をおいて、発音表示手段９５を駆動することも含むものである。
【００２７】
所定時間が経過して送風手段３１の駆動が制限された後、所定時間後に発音表示手段９５を駆動することにより、送風手段３１の駆動音が低下してからの発音表示となるため、使用者に冷却準備が完了していることを認識させやすい。
【００２８】
所定時間が経過して送風手段３１の駆動が制限されたときに発音表示手段９５を駆動し、さらに熱電変換素子４４の駆動終了前に発音表示手段９５を駆動することにより、使用者に冷却準備が完了し使用可能時間であることを認識させることができるとともに、熱電変換素子４４の駆動の終了、すなわち冷却使用時間の終了を、その終了前に音により認識させることができる。
【００２９】
所定時間が経過して送風手段３１の駆動が制限された後、所定時間後に発音表示手段９５を駆動し、さらに熱電変換素子４４の駆動終了前に発音表示手段９５を駆動することにより、送風手段３１の駆動音が低下してからの発音表示となるため、使用者に冷却準備が完了していることを認識させやすい。また、熱電変換素子４４の駆動の終了、すなわち冷却使用時間の終了を、その終了前に予め音により認識させることができる。
【００３０】
所定時間が経過して送風手段３１の駆動が制限されたときに発音表示手段９５を駆動し、さらに熱電変換素子４４の駆動終了前に発音表示手段９５を駆動し、さらに熱電変換素子４４の駆動が終了すると発音表示手段９５を駆動することにより、使用者に冷却準備が完了し使用可能時間であることを認識させることができるとともに、熱電変換素子４４の駆動の終了、すなわち冷却使用時間の終了を、その終了前に音により認識させることができる。さらに、冷却使用時間の終わりを告げる発音を行うことで、使用者は安心して美容器具の使用を終えることができる。
【００３１】
所定時間が経過して送風手段３１の駆動が制限された後、所定時間後に発音表示手段９５を駆動し、さらに熱電変換素子４４の駆動終了前に発音表示手段９５を駆動し、さらに熱電変換素子４４の駆動が終了すると発音表示手段９５を駆動することにより、送風手段３１の駆動音が低下してからの発音表示となるため、使用者に冷却準備が完了していることを認識させやすい。また、熱電変換素子４４の駆動の終了、すなわち冷却使用時間の終了を、その終了前に予め音により認識させることができる。さらに、冷却使用時間の終わりを告げる発音を行うことで、使用者は安心して美容器具の使用を終えることができる。
【図面の簡単な説明】
【００３２】
【図１】本発明に係る美容器具の縦断側面図である。
【図２】本発明に係る美容器具の正面図である。
【図３】本発明に係る美容器具の側面図である。
【図４】本発明に係る美容器具の背面図である。
【図５】本発明に係る美容器具の分解断面図である。
【図６】ヘッドおよび冷却部の構造を示す縦断側面図である。
【図７】送風手段とその周辺構造を示す縦断側面図である。
【図８】図１におけるＡ−Ａ線断面図である。
【図９】図１におけるＢ−Ｂ線断面図である。
【図１０】本発明に係る美容器具の冷却動作のタイミングチャートである。
【図１１】本発明に係る美容器具の冷却動作を、所定回数、連続して繰り返したときのタイミングチャートである。
【図１２】本発明に係るその他の美容器具における冷却動作のタイミングチャートである。
【図１３】本発明に係るその他の美容器具の冷却動作を、所定回数、連続して繰り返したときのタイミングチャートである。
【図１４】本発明に係るその他の美容器具における冷却動作のタイミングチャートである。
【図１５】本発明に係るその他の美容器具における概略図である。
【発明を実施するための形態】
【００３３】
（実施例）  図１ないし図９は本発明に係る美容器具の第１実施例を示す。本発明における前後・左右・上下とは、図２および図３に示す交差矢印と、矢印の近傍に表示した前後・左右・上下の表記に従う。図２および図３において美容器具は、グリップを兼ねる本体ケース１を基本構造体にして、その前面上部にヘッド２が突設してある。またその内部には、ヘッド２を冷却するための熱電変換素子４４を含む冷却部１２と、冷却部１２に接続される放熱用のヒートシンク３０と、ヒートシンク３０に熱交換風を供給する送風手段３１とを備えている。ヒートシンク３０は、アルミニウム製のダイキャスト成形品からなり、その表面にアルマイト処理を施し放熱効果を高めている。
【００３４】
本体ケース１の前面には、電源投入用の電源ボタン（スイッチ）３と、運転モードを切り換えるモードボタン（スイッチ）４と、イオン導入時の電位を切り換える強弱ボタン（スイッチ）５と、運転モードの違いに応じて点灯される４個のＬＥＤからなるモード表示灯（発光表示手段）６ａ、６ｂ、６ｃ、６ｄと、電位の違いに応じて点灯される２個のＬＥＤからなる強弱表示灯（発光表示手段）７ａ、７ｂなどが設けてある。電源ボタン３は、本体ケース１の表面にある電源操作ノブ３ａとその奥にある電源スイッチ３ｂとからなる。モードボタン４は、本体ケース１の表面にあるモード操作ノブ４ａとその奥にあるモードスイッチ４ｂとからなる。強弱ボタン５は、本体ケース１の表面にある強弱操作ノブ５ａとその奥にある強弱スイッチ５ｂとからなる。
【００３５】
本体ケース１の左右両側には、上下端が半楕円状に丸められた縦長の第２電極１０が配置してある。第２電極１０は、人体に微弱なパルス電流を供給するイオン導入またはイオン導出用の電極であって、第１電極９を兼ねる接触板３９と協同してパルス電流を人体に供給する。第２電極１０は、本体ケース１に対して固定されており、後述する圧縮コイル形のばね９４を介して、イオン導入またはイオン導出用の制御回路８７の出力リード９０と電気的に接続されている（図９参照）。
【００３６】
本体ケース１は、前後に分割された前ケース１ａと後ケース１ｂをビス８（図１参照）で蓋合わせ状に接合して中空ケース状に構成してあり、その内部には、冷却部１２の一部が収容される通風エリア１３と、マイコンや各種電子部品を含む制御回路８７や、それを搭載する回路基板１４が配置される電気部品エリア１５とが区画してある。具体的には、前ケース１ａの内面に周回状に突設される区画リブ１７と、区画リブ１７の開口面を塞ぐカバー体１８とで電気部品エリア１５を区画し、電気部品エリア１５以外の本体ケース１の内部空間の主に後半部側を通風エリア１３としている。つまり、本体ケース１の壁とカバー体１８の壁により、通風エリア１３と電気部品エリア１５とが区分してある。制御回路８７は、冷却部１２のペルチェ素子（熱電変換素子）４４、バイブレータ３３（モーター８２）、送風手段３１（モーター６６）、ブザー（発音表示手段）９５、モード表示灯（発光表示手段）６ａ、６ｂ、６ｃ、６ｄ、強弱表示灯（発光表示手段）７ａ、７ｂの駆動、および第１電極９・第２電極１０への微弱なパルス電流の供給（通電）を制御している。
【００３７】
カバー体１８は、トレー状のプラスチック成形品からなり、区画リブ１７に接合される周囲壁１９と、周囲壁１９の後面を塞ぐ後壁２０を一体に備えている。周囲壁１９の上端には、締結座２１が張り出してあり、その左右中央部分にバイブレータ３３を固定する押圧壁２２が一体に形成してある（図９参照）。図５に示すように、後壁２０の下部には、ファンケース６５の周面の一部を収容する長円状の凹部２３が凹み形成してあり、その左右両側にファンケース６５を固定するためのねじボス２４が突設してある。カバー体１８の区画リブ１７との接合面はシールリング２５でシールしてある。押圧壁２２は長方形状に張り出してあり、バイブレータ３３用のモーター８２の周面全体を覆う状態で、同モーター８２を押圧固定する（図９参照）。
【００３８】
通風エリア１３の上部には冷却部１２が設けてあり、さらに、冷却部１２の後端に接続した放熱用のヒートシンク３０と、送風手段３１と、変向体３２とが、通風エリア１３内に上下に間隔をあけた状態で記載順に配置してある。これにより本体ケース１の上部構造が占める空間量を小さくして、本体ケース１のグリップ部分をスリム化できる。また、冷却部１２と電気部品エリア１５との間の前ケース１ａの内部に、美容器具の全体を振動させるためのバイブレータ３３が配置してある。
【００３９】
冷却部１２は、ヘッド２と接触して、ヘッド２の表面を冷却する冷却ユニット３７を含んで構成する。円筒状のヘッドケース３６は、前ケース１ａの内面にビス３５で固定されて前ケース１ａより前方へ突出しており、その突端にヘッド２が固定してある。これらヘッド２、ヘッドケース３６、本体ケース１で囲まれる空間内に冷却部１２は収容されている。なお、ヘッドケース３６は特に必要はなく、ヘッド２が直接本体ケース１から突出する構成であってもよい。その場合、冷却部１２のほとんどが本体ケース１内に収容される。また、ヘッドケース３６は、本体ケース１とは別の名称としているが、本体ケース１の一部としてみることもできる。ヘッド２は、チタン板を皿状に成形した接触板３９と、接触板３９の周縁部分を固定保持する保持リング４０とからなる。図６に示すように、保持リング４０は、ヘッドケース３６の突端外面に外嵌装着されてビス４１で固定してある。ヘッドケース３６と前ケース１ａとの間、および接触板３９とヘッドケース３６との間は、それぞれシールリング２６・２７でシールしてある。接触板３９はチタンに限らず、電流を流せて熱伝導がよければアルミニウムなどの他の金属であってもよい。
【００４０】
冷却ユニット３７は、ペルチェ素子（熱電変換素子）４４と、同素子４４を間に挟んで低温面側と高温面側に密着される冷熱ブロック４５および温熱ブロック４６と、これら三者４４・４５・４６を支持する冷却部ホルダー４７などで構成する。冷熱ブロック４５および温熱ブロック４６とペルチェ素子４４とは伝熱シート４８を介して密着してある。伝熱シート４８は、アルミニウムシートの表裏のそれぞれにシリコンをコーティングして構成してある。ペルチェ素子（熱電変換素子）４４と、冷熱ブロック４５と、温熱ブロック４６とは、冷却部ホルダー４７に挿通したビス４９で、両ブロック４５・４６の間に配置した熱絶縁体５０と共に締結されてユニット部品化してある（図５参照）。
【００４１】
冷却部ホルダー４７を、図９に示すように前ケース１ａに４個のビス５１で固定することにより、冷熱ブロック４５の前端面が接触板３９の内面に密着する状態で、冷却ユニット３７が前ケース１ａおよびヘッドケース３６に固定してある。この状態の温熱ブロック４６の後端は、前後ケース１ａ・１ｂの接合面より後ケース１ｂ側へ入り込んでいる（図６参照）。
【００４２】
冷熱ブロック４５および温熱ブロック４６は、それぞれアルミニウム製のダイキャスト成形品からなる。ペルチェ素子（熱電変換素子）４４で発生した熱の放出をより効果的に行うために、温熱ブロック４６の体積（質量）を冷熱ブロック４５の体積（質量）に比べて十分に大きくして、単位時間当たりの熱伝導量（熱容量）を大きくしている。これにより、ペルチェ素子４４の高温面側で発生する熱を、温熱ブロック４６の後端に固定したヒートシンク３０へ効果的に伝導して放熱作用を促進できる。一方で、温熱ブロック４６の表面積を冷熱ブロック４５の表面積に比べて十分に大きくして、温熱ブロック４６における単位時間当たりの放熱量を大きくしている。また、ヒートシンク３０の体積（質量）を温熱ブロック４６の体積（質量）に比べて大きくして、単位時間当たりの熱伝導量（熱容量）を大きくしている。これにより、ペルチェ素子（熱電変換素子）４４の高温面側で発生する熱を、温熱ブロック４６およびヒートシンク３０の両者の熱容量によって、蓄えることができるので、送風手段３１の駆動を意図的に停止することができる。或いは、熱容量が少なければ、送風手段３１用のモーター６６が不用意に止まった場合に、ペルチェ素子（熱電変換素子）４４の低温面側が熱くなり、それに伴い接触板３９が熱くなって使用者に不快な思いをさせる場合があったが、それを防止することができる。さらに、ヒートシンク３０の表面積を温熱ブロック４６の表面積よりも大きくしていることにより、より一層放熱効果が高い。温熱ブロック４６とヒートシンク３０は一体のアルミダイキャスト成形品であってもよい。放熱効率を向上させるため温熱ブロック４６の周囲に複数のフィンを設けることもできる。
【００４３】
図５および図６に示すように、ヒートシンク３０は、板状のシンクベース５４と、シンクベース５４の後面に突設される多数個のフィン５５とを一体に備えたアルミニウム製のダイキャスト成形品からなる。ヒートシンク３０は、シンクベース５４の上部を温熱ブロック４６に相対移動不能に係合した接触状態で、温熱ブロック４６にねじ込まれるビス５６で分離不能に締結してある。シンクベース５４の上下中途部には斜め下向きに傾斜する段違い部５７が形成してあり、したがって、段違い部５７より下側の板状部５４ｂは、段違い部５７より上側の板状部５４ａよりも後ケース１ｂに接近している。冷却部１２とヒートシンク３０との接続は、温熱ブロック４６に対してシンクベース５４を直接固定する上記構造に限らず、温熱ブロック４６とシンクベース５４の向き合う面が接触した状態のままで、ヒートシンク３０を前ケース１ａに締結する固定構造とすることができる。
【００４４】
フィン５５と冷却風との接触機会を増加して熱交換効率を高めるために、ヒートシンク３０は通風エリア１３に沿って縦長に形成してある。さらに、シンクベース５４と、同ベース５４に対向する後ケース１ｂの周壁とで挟まれる熱交換通路６０の通路断面積を、ヒートシンク３０の側から送風手段３１の側へ向かって小さくなるようにしている。より具体的には、シンクベース５４と対向する後ケース１ｂの周壁を、シンクベース５４に接近する向きに凹ませて、熱交換通路６０の通路断面積を、シンクベース５４の上端側から下端側へ向かって下すぼまり状に形成している。因みに、シンクベース５４の下端側と後ケース１ｂの周壁との対向間隔を、シンクベース５４の上端側と後ケース１ｂの周壁との対向間隔より小さくして、熱交換通路６０の通路断面積を、送風手段３１の側へ向かって下すぼまり状に形成することができる。
【００４５】
上記のように、ヒートシンク３０の上下長を大きくすることにより、フィン５５による放熱量を増強できる。さらに、熱交換通路６０を下すぼまり状に形成することにより、フィン５５の間を通過する冷却風の通過速度を大きくして、フィン５５と冷却空気との接触機会を増加でき、全体としてヒートシンク３０の熱交換効率を高めることができる。ヒートシンク３０を、冷却部１２からカバー体１８の外面にわたって縦長に配置するので、下側の板状部５４ｂの過半下部はカバー体１８の後面上部の外方を覆っている（図１、図６参照）。そのため、吸込み口６１から浸入した化粧水をシンクベース５４で遮蔽して、化粧水がカバー体１８に付着するのをよく防止できる。また、シンクベース５４の上下中途部に段違い部５７を設けておくことにより、上側の板状部５４ａに沿って流下する化粧水を段違い部５７で受け止めて、そこに滞留させることができる。
【００４６】
シンクベース５４の上側の板状部５４ａと対向する後ケース１ｂの周壁には、冷却空気用の吸込み口６１の一群が開口してある。また、後ケース１ｂの下部側の周壁には、熱交換後の温風を排出する一群の排出口６２が開口してある。このように、本体ケース１の下部側から温風を排出する構造を採用すると、冷却対象の肌から遠ざかった位置で温風を排出できるので、ユーザーに不快感を与えることがない。本実施例では吸込み口６１、排出口６２が側方（後方）に向けて開口しているが、それに限らず吸込み口６１が上方に向けて開口し、排出口６２が下方に向けて開口するものであってもよい。
【００４７】
先に説明した下側の板状部５４ｂとカバー体１８との間には、熱交換通路６０の前後隙間より小さな通風隙間６３が確保してあり、したがって通風エリア１３内の冷却風の一部は通風隙間６３を経由して送風手段３１に吸い込まれる。このように、通風隙間６３を確保しておくことにより、シンクベース５４の熱がカバー体１８へ伝導するのを防止できる。また、通風隙間６３の隙間寸法が小さいので、送風手段３１に吸い込まれる冷却風の殆どを熱交換通路６０に沿って流動させて、熱交換を効果的に行なうことができる。
【００４８】
送風手段３１は、モーターホルダーを兼ねるファンケース６５と、ファンケース６５の上半部に固定されるモーター６６と、その出力軸に固定される軸流型のファン６７とで構成してある。ファン６７の回転・停止は、制御回路８７からモーター６６への駆動電流を制御してモーター６６の出力を切り替えることで行っている。送風手段３１は、軸流型のファンに限らず、遠心型のファンであってもよい。また、送風手段３１は、放電電極と対向電極とを設け、両者に高電圧を印加してイオン風を発生させるものであってもよい。この場合、送風力は小さいが音はほとんど発生しない。通風エリア１３内の空気を変向体３２へ向かって下向きに送給する。ファンケース６５は、先に説明したねじボス２４にビス７１で固定してある（図９参照）。なお、ファンケース６５の周囲は、カバー体１８と後ケース１ｂから対向状に張り出した区分壁７２で上下に区分してあり（図７参照）、したがって、送風手段３１から送出された熱交換後の温風が熱交換通路６０側へ逆流することはない。
【００４９】
図５に示すように、変向体３２は、前面および下面が開口するカバー状の構造体からなり、後面側から見た外形形状は逆凸字状に形成してある（図９参照）。図７に示すように排出口６２と対向する変向体３２の上半側の幅広の部分には、変向壁６８が下り傾斜状に形成してある。また、変向壁６８の上端の傾斜部内面には、接当リブ６９が設けてある。先に述べた凹部２３の下端には、部分球面状の変向面７０が形成してあり、この変向面７０によって送風手段３１から送給される熱交換風を、変向壁６８と共同して排出口６２へ向かって変向案内できる。上記実施例では、本体ケース１の上部に吸込み口６１を、本体ケース１の下部に排出口６２を形成して、通風エリア１３内の熱交換（冷却）風を下向きに送給したが、本体ケース１の上部に排出口６２を、本体ケース１の下部に吸込み口６１を形成して、通風エリア１３内の熱交換（冷却）風を上向きに送給してもよい。当然その場合の送風手段３１の送風方向は逆に設定する。
【００５０】
前後ケース１ａ・１ｂの下端内面には給電用のソケット７５が配置してあり、その通風エリア１３側の周面が変向体３２で覆ってある。変向体３２およびソケット７５は、前後ケース１ａ・１ｂを締結する下側２個のビス８を利用して固定されて、本体ケース１と一体化してある。図７に示すように、給電用のソケット７５の内部には、電源アダプターから導出された給電プラグ７４を接続するための２個の接続ピン７６が設けてあり、接続ピン７６に接続した給電リード７７がソケット７５の上端から導出してある。給電リード７７は、カバー体１８に開口したリード開口７８を介して電気部品エリア１５の内部に導入されて回路基板１４に接続してある。給電リード７７とリード開口７８との間の隙間は、リード開口７８に装着したゴム製のパッキン７９で封止してある。
【００５１】
先に説明したように変向体３２は、本体ケース１に固定してある。そのため、送風手段３１の振動や、バイブレータ３３の振動を受けて振動し、その上開口縁がカバー体１８に接当して、接当騒音を生じるおそれがある。こうした騒音の発生を防ぐために、変向体３２の接当リブ６９の突端をパッキン７９の後端面で受け止めて、変向体３２がカバー体１８に接当するのを防止し、変向体３２の振動をパッキン７９で吸収できるようにしている（図７の拡大図参照）。
【００５２】
前ケース１ａの内部に配置したバイブレータ３３は、モーター８２と、その出力軸に固定される偏心重り８３とで構成し、モーター８２の回転駆動により振動を発生する。バイブレータ３３は、後述するように振動により器具の状態を表示できる振動表示手段を兼ねている。前ケース１ａの内部にはゴム製の装着座８４が固定してあり、この装着座８４に嵌め込んだモーター８２をカバー体１８に設けた押圧壁２２で分離不能に固定保持している（図６参照）。
【００５３】
上述したように、電気部品エリア１５には次のような部材が収容してある。ペルチェ素子（熱電変換素子）４４への通電（駆動）状態と、バイブレータ（振動表示手段）３３のモーター８２への通電（駆動）状態と、ファン６７用のモーター６６（送風手段３１）への通電（駆動）状態と、発音表示手段としてのブザー９５への通電（駆動）状態と、モード表示灯（発光表示手段）６ａ、６ｂ、６ｃ、６ｄへの通電（駆動）状態と、強弱表示灯（発光表示手段）７ａ、７ｂへの通電（駆動）状態、および第１電極９・第２電極１０への通電（駆動）状態を制御する制御回路８７や制御回路８７に命令信号を送出する各種スイッチ３ｂ・４ｂ・５ｂやそれらを搭載する回路基板１４などが収容されている。制御回路８７に接続される一方の出力リード８９は、図８に示すようにヘッドケース３６の内部に設けた弾性変形可能な接触部９３を一体に備えた接続端子９１に接続されており、他方の出力リード９０は、図９に示すようにファンケース６５の左右に固定した接続端子９２に接続してある。前者の接続端子９１は金属板材からなり、ヘッドケース３６を前ケース１ａに締結するビス３５を利用してその自由端側、つまり接触部９３側が弾性変形可能に固定してある。
【００５４】
ヘッド２をヘッドケース３６に組み付けた状態では、接続端子９１の腕部の先端側に設けた接触部９３が、第１電極９を兼ねる接触板３９の内面に押圧された状態で密着している。このように、弾性変形可能な接触部９３を介して接続端子９１と第１電極９を導通すると、接続端子９１の固定部分と第１電極９との間に寸法誤差が生じていたとしても、寸法誤差を接続端子９１の腕部で吸収して、電気的な接続状態を良好に維持できる。とくに、美容器具の使用時には、ヘッド２が冷却され、あるいは常温に戻るため、温度変化に伴う各部品間の距離の変化を生じやすいが、こうした場合であっても電気的な接続状態を良好に維持できる。
【００５５】
また、第２電極１０用の接続端子９２は、ファンケース６５を固定するビス７１を利用して固定してあり、第２電極１０と接続端子９２とは、第２電極１０を押圧付勢するばね９４を利用して導通してある。接続端子９２と第２電極１０とをコイル状のばね（弾性体）９４を介して導通すると、接続端子９２と第２電極１０との間に寸法誤差が生じたとしても、寸法誤差をばね９４で吸収できるので、良好な電気的接続状態を維持できる。
【００５６】
接続端子９１は、金属線材の基端部分をＬ字状に折り曲げて固定部とし、他方端を、コイル状に形成してばね性を備えた接触部９３とすることができる。その場合には、固定部をビス３５で固定し、自由端側の接触部９３を第１電極９に押圧した状態で組み付け、接続端子９１と第１電極９とを導通させる。この構造の場合にも、接続端子９１の固定部分と第１電極９との間に寸法誤差が生じたとしても弾性接触によって良好な電気的接続状態を維持できる。
【００５７】
図９において、符号１０１はペルチェ素子（熱電変換素子）４４用の給電リード、符号１０２は送風手段３１用の給電リード、符号１０３はバイブレータ３３用の給電リードである。これらの各給電リード１０１・１０２・１０３のリード開口や、先に説明した出力リード８９・９０のリード開口も、給電リード７７と同様にしてパッキンでシールしてある。
【００５８】
以上のように構成した美容器具は、電源ボタン３がオン操作されると、制御回路８７から駆動電流が供給されて、バイブレータ３３のモーター８２が起動され、所定時間（例えば１秒間）後、下記の第１モードとなり器具が待機状態となる。電源ボタン３がオン操作されたときバイブレータ３３が駆動することにより、手の感触で器具が起動していることを確認できるので、ユーザーの安心感につながる。
【００５９】
モードボタン４は、オン操作するごとに第１モードから第４モードまで切り換えることができる。また、モードボタン４をオン操作するごとに「ピッ」「ピッ」とブザー９５の音を鳴らすよう制御している。第１モード（クレンジングモード）では、第１電極９をプラス極性、第２電極１０をマイナス極性とした電圧が印加される。これにより化粧水が含浸された化粧用の綿マット９７（図３参照）を接触板３９の外面にあてがい、その周囲をヘッド２に圧嵌装着されるキャップ９８で固定した状態で、第２電極１０を含む本体ケース１を手で握り、綿マット９７（第１電極９）を顔などの肌にあてがえばイオン導出を行うことができ、肌の微細な汚れを落とすことができる。制御回路８７は、モード表示灯（発光表示手段）６ａにも通電し、モード表示灯６ａを点滅、点灯或いは消灯を制御する。
【００６０】
電源ボタン３をオン操作し、モードボタン４をオン操作して第１モードに切り替えた場合、第１電極９にオフ時間の長い人体検知用の微弱な電流（パルス信号）が送出される。この状態が器具の待機状態（このときモード表示灯６ａは点滅状態）である。第２電極１０を含む本体ケース１を手で握り、綿マット９７（第１電極９）を肌にあてがえば、第１電極９から出力される先の微弱な電流（パルス信号）が人体を通り、他方の電極である第２電極１０に入力され、制御回路８７の人体検知信号判定回路がオン状態となり、その信号がマイコンに送出され、人体検知が確定する。これにより、制御回路８７は、第１電極９にオフ時間の短い肌通電用のパルス信号が送出されて使用状態（このときモード表示灯６ａは点灯状態）となる。つまり、第１電極９と第２電極１０は、人体検知センサでもあり、肌への通電を行う電極ヘッドでもある。第１モードでは、制御回路８７が、人体検知（上述の本体ケース１を手で握り、綿マット９７（第１電極９）を肌にあてた状態）されてから計時がスタートし、肌への断続的な接触を繰り返し、人体検知の累計時間が所定時間（例えば５分）となると、自動的に第１電極９・第２電極１０への通電を停止する。これと同期してモード表示灯６ａが消灯する。制御回路８７は、ブザー９５への通電状態も制御しており、電源ボタン３をオン操作したとき、ブザー９５が１回、「ピッ」と鳴って音で動作確認ができるようになっている。人体検知の累計時間が５分になると、つまり第１モードが終了したときは、ブザー９５を長く２回、「ピーピー」と終了音で手入れの終わりを知らせるようにしている。このとき器具の待機状態も停止して電源はオフされる。
【００６１】
第１モードにおいて、パルス間隔の広い待機状態或いは人体検知の状態のときに、電源ボタン３が再び押され電源のオフ操作が行われた場合或いは給電プラグ７４が器具から引き抜かれて電源がオフされた場合は、第１モードが記憶された状態となり、再び電源ボタン３が押されオン操作されても、第１モードからスタートされる。人体検知の累計時間が指定時間の５分となり自動的に第１電極９・第２電極１０への通電が停止された場合は、制御回路８７には第２モードが記憶されているため、電源ボタン３がオン操作された場合は、モードボタン４をオン操作せずとも、第２モードからスタートする。
【００６２】
第２モード（振動モード）では、第１電極９と第２電極１０に極性を交互に切り替えた電圧が印加されるとともに、バイブレータ３３が断続的に駆動される。これによりヘッド２を肌にあてがえば肌をほぐすことができる。制御回路８７は、モード表示灯（発光表示手段）６ｂにも通電し、モード表示灯６ｂを点滅、点灯或いは消灯を制御する。
【００６３】
電源ボタン３をオン操作し、続けてモードボタン４をオン操作して第２モードに切り替えた場合、第１モードと同様のパルス間隔の広い待機状態（このときモード表示灯６ｂは点滅状態）にあるが、第２電極１０を含む本体ケース１を手で握り、第１電極９を肌にあてがえば、第１モードと同様に人体検知され、第１モードと同様のパルス間隔の狭い使用状態（このときモード表示灯６ｂは点灯状態）となる。なお、第１モードにおいて人体検知の累計時間が５分となり自動的に第１電極９・第２電極１０への通電が停止された場合は、制御回路８７には第２モードが記憶されているため、モードボタン４をオン操作せずとも、第２モードがスタートする。
【００６４】
第２モードでは、制御回路８７が、人体検知されてから計時がスタートし、肌への断続的な接触を繰り返し、人体検知の累計時間が所定時間（例えば５分）となると、自動的に第１電極９・第２電極１０への通電およびバイブレータ３３への通電を停止する。これと同期してモード表示灯６ｂが消灯する。制御回路８７は、ブザー９５への通電状態も制御しており、電源ボタン３をオン操作したとき、ブザー９５が１回、「ピッ」と鳴って音で動作確認ができるようになっている。人体検知の累計時間が５分になると、つまり第２モードが終了したときは、ブザー９５を長く２回、「ピーピー」と終了音で手入れの終わりを知らせるようにしている。このとき器具の待機状態も停止して電源はオフされる。
【００６５】
第２モードにおいて、パルス間隔の広い待機状態或いは人体検知の状態のときに、電源ボタン３が再び押され電源のオフ操作が行われた場合或いは給電プラグ７４が器具から引き抜かれて電源がオフされた場合は、第１モードが記憶された状態となり、再び電源ボタン３が押されオン操作されれば、第１モードからスタートされる。人体検知の累計時間が指定時間の５分となり自動的に第１電極９・第２電極１０への通電およびバイブレータ３３への通電が停止された場合は、制御回路８７には第３モードが記憶されているため、電源ボタン３がオン操作された場合は、モードボタン４をオン操作せずとも、第３モードからスタートする。
【００６６】
第３モード（水分浸透モード）では、第１電極９をマイナス極性、第２電極１０をプラス極性とした電圧が印加される。これにより化粧水が含浸された化粧用の綿マット９７をヘッド２に固定した状態で、綿マット９７（第１電極９）を肌にあてがえばイオン導入を行うことができ、保湿成分を肌に浸透させて美容効果を高めることができる。制御回路８７は、モード表示灯（発光表示手段）６ｃにも通電し、モード表示灯６ｃを点滅、点灯或いは消灯を制御する。
【００６７】
電源ボタン３をオン操作し、続けてモードボタン４をオン操作して第３モードに切り替えた場合、第１モードと同様のパルス間隔の広い待機状態（このときモード表示灯６ｃは点滅状態）にあるが、第２電極１０を含む本体ケース１を手で握り、綿マット９７（第１電極９）を肌にあてがえば、第１モードと同様に人体検知され、第１モードと同様のパルス間隔の狭い使用状態（このときモード表示灯６ｃは点灯状態）となる。なお、第２モードにおいて人体検知の累計時間が５分となり自動的に第１電極９・第２電極１０への通電が停止された場合は、制御回路８７には第３モードが記憶されているため、モードボタン４をオン操作せずとも、第３モードがスタートする。
【００６８】
第３モードでは、制御回路８７が、人体検知されてから計時がスタートし、肌への断続的な接触を繰り返し、人体検知の累計時間が所定時間（例えば５分）となると、自動的に第１電極９・第２電極１０への通電を停止する。これと同期してモード表示灯６ｃが消灯する。制御回路８７は、ブザー９５への通電状態も制御しており、電源ボタン３をオン操作したとき、ブザー９５が１回、「ピッ」と短い音が鳴って動作確認ができるようになっている。人体検知の累計時間が５分になると、つまり第３モードが終了したときは、ブザー９５を長く２回、「ピーピー」と終了音で手入れの終わりを知らせるようにしている。このとき器具の待機状態も停止して電源はオフされる。
【００６９】
第３モードにおいて、パルス間隔の広い待機状態或いは人体検知の状態のときに、電源ボタン３が再び押され電源のオフ操作が行われた場合或いは給電プラグ７４が器具から引き抜かれて電源がオフされた場合は、第１モードが記憶された状態となり、再び電源ボタン３が押されオン操作されても、第１モードからスタートされる。人体検知の累計時間が指定時間の５分となり自動的に第１電極９・第２電極１０への通電が停止された場合は、制御回路８７には第４モードが記憶されているため、電源ボタン３がオン操作された場合は、モードボタン４をオン操作せずとも、第４モードからスタートする。
【００７０】
第１〜第３モードにおいて、強弱ボタン５をオン操作することにより、第１、第２の電極９・１０に印加される電位を強弱に切り換えることができる。第１実施例においては、第１〜第３モードのときは、肌面への通電を行うため、本体ケース１を片手で握り、その手を第２電極１０と接触させたうえで、ヘッド２を顔肌などの肌面に接触させる必要があるが、ヘッド２を半月状に２分割し、その一方を第１電極９とし、他方を第２電極１０とすれば、本体ケース１を握る手に気を掛けることなく、ヘッド２を肌面に当てがうだけで、第１、第２の電極９・１０による通電を行うことができる。電源ボタン３をもう一度オン操作するか、電源ボタン３のオン操作から所定時間（例えば３０秒）が経過すると電源がオフされる。バイブレータ３３は、それ専用の駆動スイッチを設けて、任意に駆動できるようにしてもよい。これにより、使用者が任意で肌面への振動マッサージを行うことができる。
【００７１】
第４モード（クールモード＝冷却動作）では、ペルチェ素子（熱電変換素子）４４が駆動される。これにより、ヘッド２を肌にあてがえば肌面を冷却することができる。制御回路８７は、モード表示灯（発光表示手段）６ｄにも通電し、モード表示灯６ｄを点滅、点灯或いは消灯を制御する。また、制御回路８７は、ブザー９５の駆動も制御している。
【００７２】
図１０において、電源ボタン３をオン操作し、続けてモードボタン４をオン操作して第４モードに切り替えたとき、制御回路８７は、先ず、ペルチェ素子（熱電変換素子）４４とともに送風手段３１を駆動する（タイミングａ）。ペルチェ素子４４と送風手段３１の駆動は所定時間Ａ（例えば、９０秒間）行う。所定時間Ａの間はＬＥＤからなるモード表示灯（発光表示手段）６ｄは点滅状態となっている。所定時間Ａの経過後（タイミングｂ）は、ペルチェ素子４４はそのまま駆動し続け、送風手段３１の方は駆動を停止する。タイミングｂから所定時間（例えば、１秒）が経過すれば準備完了を知らせるブザー（発音表示手段）９５を、「ピッピッ」と短い音で２回発音駆動する。このときバイブレータ（振動表示手段）３３を同時に所定時間駆動させるよう制御している。これにより音と振動による準備完了を使用者に認識させることができる。ブザー（発音表示手段）９５とバイブレータ（振動表示手段）３３は、どちらか一方または両方を駆動して使用者に準備完了を認識させることができる。
【００７３】
この送風手段３１の駆動を伴わないペルチェ素子４４単独の駆動は、所定時間Ｂ（例えば、９０秒間）行う。所定時間Ａは、冷却準備時間であり、送風手段３１が駆動することによりヘッド２の冷却時間を短くすることができる。さらに、所定時間Ｂが経過すれば、ペルチェ素子４４の駆動を停止させるとともに再び送風手段３１を駆動する（タイミングｃ）。所定時間Ｂは、冷却されたヘッド２で実際に手入れを行う使用時間であり、送風手段３１の駆動が停止しているため、使用者が快適に肌の手入れを行うことができる。また、冷却準備時間中は、送風手段３１の回転による音が発生していたものが準備時間が終了すればそれが停止するため、使用者は音の変化を認識し使用の可否を判断できるため使い勝手が向上する。タイミングｃは、手入れ完了のときであり、手入れ完了を知らせるブザー９５を、「ピーピー」と長い音で２回発音駆動する。このように冷却使用時間の終わりを告げる発音を行うことで、使用者は安心して美容器具の使用を終えることができる。その手入れ終了のタイミングｃで、バイブレータ（振動表示手段）３３を所定時間（例えば１秒間）駆動して使用者に振動による完了表示を行うことができる。これにより、耳の不自由な使用者に対して手入れの完了を認識しやすくすることができる。また、所定時間Ｂにおいて、所定時間Ｂ（ペルチェ素子４４の駆動）の終了前（例えば５秒前）にブザー９５を、「ピッ」と１回、発音駆動させている。これにより、使用者は手入れの終了を予め音により認識することができる。また、所定時間Ｂにおいて、所定時間Ｂ（ペルチェ素子４４の駆動）の終了前（例えば５秒前）に所定時間（例えば０．５秒間）バイブレータ（振動表示手段）３３を駆動させるように制御している。これにより、使用者は手入れの終了を予め振動により認識することができる。本実施例では、所定時間Ｂの終了前に音と振動により表示したが、どちらか一方だけでもよい。
【００７４】
再び送風手段３１が駆動してから所定時間Ｃ（例えば、３０秒）が経過すれば、送風手段３１の駆動を停止する（タイミングｄ）。この所定時間Ｃによって、肌の手入れが終了しても、なおも送風手段３１を駆動させることができるため、次の使用者が肌の手入れを行う場合に、ヘッド２が所望する冷却温度になりやすい。このときの送風手段３１は、その駆動状態が、所定時間Ａの駆動状態と同じであってもよいし、それよりも大きい駆動状態、つまり送風手段３１の回転数を所定時間の回転数よりも大きく設定してもよい。所定時間Ａではモード表示灯６ｄは点滅状態となっていたが、タイミングｂを過ぎてからの所定時間Ｂでは、モード表示灯６ｄは点灯状態となる。また、タイミングｃ以降は、モード表示灯６ｄは消灯状態となる。以上のとおり、本実施例においては、スイッチ投入から動作終了までトータルで２１０秒を要するが、その一連の冷却動作を制御回路８７で自動的にプログラム通りに行っている。なお、送風手段３１単独で駆動する所定時間Ｃの動作は省くこともできる。
【００７５】
第１モード、第２モード、第３モード、第４モードのどのモードであっても、一連の動作時間中に、電源ボタン３が再び押され電源のオフ操作が行われた場合或いは給電プラグ７４が器具から引き抜かれて電源がオフされた場合は、電源ボタン３が押されてオン操作されれば、第１モードの動作からスタートする。また、制御回路８７は、第１モード、第２モードおよび第３モードにおいて、人体検知が所定時間（例えば、３０秒）行われなければ、自動的に電源をオフするよう制御（オートオフ制御）している。第１モードでオートオフされた場合は、次の電源スイッチ（スイッチ）３がオン操作されれば第２モードからスタートし、第２モードでオートオフされた場合は、次の電源スイッチ（スイッチ）３がオン操作されれば第３モードからスタートし、第３モードでオートオフされた場合は、次の電源スイッチ（スイッチ）３がオン操作されれば第４モードからスタートするよう制御されている。
【００７６】
タイミングａ〜ｄまでの一連の冷却動作が終了すれば、器具の待機状態も停止して電源はオフされる。このとき制御回路８７には第１モードが記憶されており、続けて電源ボタン（スイッチ）３をオン操作すれば、第１モードからスタートする。また、タイミングａ〜ｄまでの一連の冷却動作が終了した際、制御回路８７には、冷却動作の第１回がカウントされて記憶されている。電源ボタン（スイッチ）３をオン操作し、モードボタン（スイッチ）４を３回オン操作して第４モード（クールモード＝冷却動作）を選択すれば、タイミングａから再び動作がスタートし、タイミングｂ、タイミングｃ、タイミングｄという具合に第１回目と同様の一連の動作が自動的に行われる。タイミングａ〜ｄまでの第２回目の一連の冷却動作が終了すれば、器具の待機状態も停止して電源はオフされる。このとき制御回路８７には第１モードが記憶されており、続けて電源ボタン（スイッチ）３をオン操作すれば、第１モードからスタートする。また、タイミングａ〜ｄまでの一連の冷却動作が終了した際、制御回路８７には、冷却動作の第２回がカウントされて記憶されている。電源ボタン（スイッチ）３をオン操作し、モードボタン（スイッチ）４を３回オン操作して第３モード（クールモード＝冷却動作）を選択すれば、タイミングａから再び同様の動作がスタートするが、上記一連の冷却動作が、連続して所定回数繰り返された場合、本実施例では、３回目の冷却動作のときに、以下のような動作を行う。
【００７７】
すなわち、図１１に示すように、電源ボタン（スイッチ）３をオン操作し、続けてモードボタン（スイッチ）４を３回オン操作して第４モード（クールモード＝冷却動作）に切り替えたとき、制御回路８７は、先ず、ペルチェ素子（熱電変換素子）４４とともに送風手段３１を駆動する（タイミングａ）。ペルチェ素子４４と送風手段３１の駆動は所定時間Ａ（例えば、９０秒）行う。所定時間Ａの間はモード表示灯６ｄは点滅状態となっている。所定時間Ａの経過後（タイミングｂ）は、ペルチェ素子４４および送風手段３１の双方を駆動し続ける。タイミングｂから所定時間（例えば、１秒間）が経過すれば準備完了を知らせるブザー９５を、「ピッピッ」と短い音で２回発音駆動する。ペルチェ素子４４および送風手段３１の双方の駆動は、所定時間Ｂ（例えば、９０秒間）行う。所定時間Ａは、冷却準備時間であり、送風手段３１が駆動することによりヘッド２の冷却時間を短くすることができる。さらに、所定時間Ｂが経過すれば、ペルチェ素子４４および送風手段３１の双方の駆動を停止させるとともに再び送風手段３１を駆動する（タイミングｃ）。
【００７８】
ここで、所定時間Ｂは、第１回目、第２回目の使用の際は、送風手段３１を停止していたが、３回目の所定時間Ｂの時間は、送風手段３１を連続して駆動させている。それは、次のような不具合があるからである。すなわち、タイミングａ〜ｄまでの一連の冷却動作を、複数の所定回数（本実施例では３回）、連続して繰り返せば、温熱ブロック４６およびヒートシンク３０の両者の熱容量を大きく確保していても、キャパシティ不足となり、両者による蓄熱および放熱が間に合わなくなり、ペルチェ素子４４の低温面側の冷熱ブロック４５が冷え難くなり、すなわち接触板３９が冷え難くなり、ヘッド２が所望の冷却温度まで下がらなくなる虞れがあった。そこで、３回目の動作の際は、放熱効果を高めるため、実際の手入れの使用時間である所定時間Ｂにおいても、ペルチェ素子４４および送風手段３１の双方を駆動させている。このときの送風手段３１は、その駆動状態が、所定時間Ａの駆動状態と同じであってもよいし、それよりも大きい駆動状態、つまり送風手段３１の回転数を所定時間の回転数よりも大きく設定してもよい。
【００７９】
これにより通常の使用状態とは異なる状態を生じさせることで使用者に誤った使い方（連続使用）であることを認識させることができる。また仮に連続使用された場合でも、送風手段３１の連続駆動により、放熱を促進し、ヘッド２の冷却を行うことができる。タイミングｃは、手入れ完了のときであり、手入れ完了を知らせるブザー９５を、「ピーピー」と長い音で２回駆動する。再び送風手段３１が駆動してから所定時間Ｃ（例えば、３０秒）が経過すれば、送風手段３１の駆動を停止する（タイミングｄ）。この所定時間Ｃによって、肌の手入れが終了しても、なおも送風手段３１を駆動させることができるため、次の使用者が肌の手入れを行う場合に、ヘッド２が所望する冷却温度になりやすい。第３回目の冷却動作においては、モード表示灯（発光表示手段）６ｄは、所定時間Ａ、Ｂともに点滅状態となって連続使用を警告している。また、タイミングｃ以降は、モード表示灯６ｄは消灯状態となる。この場合もスイッチ投入から動作終了までトータルで２１０秒を要するが、その一連の冷却動作を制御回路８７で自動的にプログラム通りに行っている。なお、送風手段３１単独で駆動する所定時間Ｃの動作は省くこともできる。その後、カウントがリセットされなければ、４回目の冷却動作も、３回目と同様の冷却動作となり、それ以降も３回目と同様の冷却動作となる。
【００８０】
なお、第４モード（クールモード＝冷却動作）において、冷却準備時間である所定時間Ａの時間で、電源ボタン３が再び押され電源のオフ操作が行われた場合は、制御回路８７は、冷却動作回数のカウントは行わないが、タイミングｂ以降の所定時間Ｂ、Ｃで、電源ボタン３が再び押され電源のオフ操作が行われた場合は、制御回路８７は、冷却動作回数のカウントを行う。
【００８１】
制御回路８７における冷却動作回数のカウントがリセットされる場合は、次のような動作が行われたときである。すなわち、プログラムされた一連の冷却動作が終了するたびに、或いはタイミングｂ以降の所定時間Ｂ、Ｃで電源ボタン３が再び押され電源のオフ操作が行われるたびに制御回路８７における冷却動作回数の記憶回路が１つずつカウントされることは上述したとおりであるが、その後、電源ボタン３やモードボタン４がオン操作されて第１モード、第２モード、または第３モードにおいて、第１電極９・第２電極１０を同時に触れて人体検知が行われた場合、つまり人体（肌）に対して通電による肌の手入れが行われた場合と、或いは、給電プラグ７４が器具から引き抜かれて電源がオフされた場合、つまり器具への電力の供給を完全にストップした場合、にカウントされた数字がリセットされるように制御されている。複数の所定回数とは、本実施例では３回としたが、２回でもよいし、４回、５回、或いはそれ以上であってもよい。
【００８２】
また、モードボタン４をオン操作することで、第１モード（クレンジングモード）、第２モード（振動モード）、第３モード（水分浸透モード）、第４モード（クールモード＝冷却動作）を自動的に連続して移行動作させる第５モード（全手入れモード）を設けることができる。この場合、冷却動作の駆動スイッチであるモードボタン４がオン操作されてから、冷却動作が始まる第４モードまでかなりの時間を要するが、このように、スイッチのオン操作が行われたちょうどそのタイミングで冷却動作がスタートするものに限らず、スイッチのオン操作後、所定時間（例えば１秒や数分）をおいて、スタートされるものであってもよい。
【００８３】
なお、上記モード以外に、別のモードとして、ペルチェ素子（熱電変換素子）４４の駆動、バイブレータ３３の駆動、第１電極９と第２電極１０への電圧印加を同時に行う第６モード（同時手入れモード）を設けてもよい。
【００８４】
発音表示手段は、ブザーに限らず、制御回路８７に所定の音声データを記憶しておき、制御回路８７の音声出力回路から出力された信号を別途設けられたスピーカーから冷却動作のタイミングに応じて音声を発生するものであってもよい。上記実施例の冷却動作のタイミングにおいて、例えば、冷却準備が完了したときは準備完了表示として「冷却準備が完了しました。」、ペルチェ素子４４の駆動の終了前に予鈴表示として「もうすぐ冷却を終了します。」、ペルチェ素子４４の駆動が終了したときは冷却使用時間の終わりを告げる終了表示として「冷却が終了しました。」と発音駆動させるようにする。なお、この音声による発音表示手段は、これ単独で使用するか、もしくはブザーと併用してもよい。
【００８５】
上記第１実施例の美容器具は、次のような実施形態で実施することができる。
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１とを備えており、
本体ケース１の内部に、熱電変換素子４４および送風手段３１の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止する冷却動作を行う。
これによって、ヘッド２の冷却準備時間を短くできるとともに、送風手段３１の駆動が停止されることにより、器具全体の消費電力量を少なくできる。このため、送風手段３１の駆動を停止し消費電力を削減できた分、その他機能の駆動を追加しても全体としてさほど消費電力量を増加させずにすむ。したがって、上述では便宜上ペルチェ素子単独と表現したが、必要があれば送風手段３１の駆動は停止する一方でペルチェ素子４４とバイブレータ３３などのその他機能を同時に駆動するよう制御してもよい。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
【００８６】
さらにこの美容器具は、
一連の冷却動作が、連続して所定回数繰り返された場合、
スイッチ３・４の操作を受けて、制御回路８７が、熱電変換素子４４および送風手段３１の駆動を開始し、所定時間が経過しても熱電変換素子４４および送風手段３１を駆動し続け、その後さらに所定時間が経過すると熱電変換素子４４および送風手段３１の駆動を停止するよう制御している。
これにより通常の使用状態とは異なる状態を生じさせることで使用者に誤った使い方（連続使用）であることを認識させることができる。また仮に連続使用された場合でも、送風手段３１の連続駆動により、放熱を促進し、ヘッド２の冷却を行うことができる。
【００８７】
さらにこの美容器具は、
一連の冷却動作が、連続して所定回数繰り返された場合、
スイッチ３・４の操作を受けて、制御回路８７が、熱電変換素子４４および送風手段３１の駆動を開始し、所定時間が経過しても熱電変換素子４４および送風手段３１を駆動し続け、その後さらに所定時間が経過すると送風手段３１の駆動はそのまま継続する一方で熱電変換素子４４の駆動を停止し、その後さらに所定時間が経過すると送風手段３１の駆動を停止する冷却動作を行う。
これにより、肌の手入れが終了しても、なおも送風手段３１を駆動させることができるため、次の使用者が肌の手入れを行う場合に、ヘッド２が所望する冷却温度になりやすい。
【００８８】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１とを備えており、
本体ケース１の内部に、熱電変換素子４４および送風手段３１の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止し、その後再び送風手段３１の駆動を開始し、所定時間の経過後、送風手段３１の駆動を停止する冷却動作を行う。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、肌の手入れが終了しても、なおも送風手段３１を駆動させることができるため、次の使用者が肌の手入れを行う場合に、ヘッド２が所望する冷却温度になりやすい。
【００８９】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、発光表示手段６ｄとを備えており、
本体ケース１の内部に、熱電変換素子４４、送風手段３１および発光表示手段６ｄの駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止し、
さらに制御回路８７は、熱電変換素子４４および送風手段３１の駆動が開始されたときに発光表示手段６ｄを点滅駆動させ、所定時間が経過して送風手段３１の駆動が停止されたときに発光表示手段６ｄを点灯駆動させ、その後さらに所定時間が経過して熱電変換素子４４および送風手段３１の駆動を停止したときに発光表示手段６ｄの駆動を停止するように制御している。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、熱電変換素子４４および送風手段３１の駆動が開始されたときに発光表示手段６ｄを点滅駆動させることにより、使用者に準備時間であることを認識させることができ、また、所定時間が経過して送風手段３１の駆動が停止されたときに発光表示手段６ｄを点灯駆動させることにより、使用者に準備時間が終了し使用可能時間であることを認識させることができる。さらに所定時間が経過して熱電変換素子４４および送風手段３１の駆動が停止されたときに発光表示手段６ｄの駆動を停止したことにより、使用者に美容器具の使用が停止されたことを認識させることができる。
【００９０】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、発音表示手段９５とを備えており、
送風手段３１は、モーター６６とその回転軸に取り付けられるファン６７とを含み、
本体ケース１の内部に、熱電変換素子４４、送風手段３１および発音表示手段９５の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止し、
さらに制御回路８７は、所定時間が経過して送風手段３１の駆動が停止されたときに発音表示手段９５を駆動するよう制御している。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、所定時間が経過して送風手段３１の駆動が停止されたときに発音表示手段（ブザー）９５を駆動することにより、使用者に準備時間が終了し使用可能時間であることを認識させることができる。ここで、送風手段３１の駆動が停止されたとき発音表示手段（ブザー）９５を駆動するとは、送風手段３１の駆動が停止したちょうどそのときや、或いは、送風手段３１の停止から僅かに時間をおいて、例えば、１秒後に、発音表示手段（ブザー）９５を駆動することも含むものである。しかし、発音表示手段（ブザー）９５を駆動する場合は、その音が、送風手段３１が停止してからの方が、聞き取りやすいので、好ましくは、制御回路８７は、所定時間Ａが過ぎて送風手段３１の駆動が停止された後の所定時間後（例えば１秒後）に発音表示手段９５を所定時間（例えば０．２秒）駆動するよう制御する。これにより、送風手段３１の駆動音が低下してからの発音表示となるため、使用者に冷却準備が完了していることを認識させやすい。
【００９１】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、発音表示手段９５とを備えており、
本体ケース１の内部に、熱電変換素子４４、送風手段３１および発音表示手段９５の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止し、
さらに制御回路８７は、所定時間が経過して送風手段３１の駆動が停止されたときに発音表示手段９５を駆動し、さらに熱電変換素子４４の駆動終了前に発音表示手段９５を駆動させるよう制御している。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、所定時間が経過して送風手段３１の駆動が停止されたときに発音表示手段９５を駆動することにより、使用者に準備時間が終了し使用可能時間であることを認識させることができる。
また、使用者は熱電変換素子４４の駆動の終了、すなわち冷却動作による手入れの終了について、手入れ終了前に予め音により認識することができる。
【００９２】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、振動表示手段３３とを備えており、
本体ケース１の内部に、熱電変換素子４４、送風手段３１および振動表示手段３３の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止し、
さらに制御回路８７は、所定時間が経過して熱電変換素子４４の駆動が継続され、その後所定時間が経過して熱電変換素子４４の駆動の終了前に振動表示手段３３を駆動させるよう制御している。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、使用者は冷却動作による手入れの終了について、手入れ終了前に予め振動により認識することができる。
【００９３】
さらにこの美容器具は、
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１とを備えており、
本体ケース１の内部に、熱電変換素子４４、送風手段３１および第１電極９、第２電極１０の駆動を制御する制御回路８７が配置されており、
本体ケース１の外面に、制御回路８７から微弱な電流が供給される第１電極９と第２電極１０を備えており、
ヘッド２が第１電極９を兼ねており、
本体ケース１を把持したとき手が触れる箇所に第２電極１０が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止する冷却動作を行い、
この一連の冷却動作を制御回路８７がカウントしており、
この一連の冷却動作が、連続して所定回数繰り返された場合、
スイッチ３・４の操作を受けて、制御回路８７が、熱電変換素子４４および送風手段３１の駆動を開始し、所定時間が経過しても熱電変換素子４４および送風手段３１を駆動し続け、その後さらに所定時間が経過すると熱電変換素子４４および送風手段３１の駆動を停止する冷却動作を行い、
ヘッド２（第１電極９）と第２電極１０の双方が肌に触れたときに、その肌に対して通電を行う肌の手入れと、冷却されたヘッド２（第１電極９）を肌に対して当接させる肌の手入れとの、少なくとも２つの使い方を有しており、
制御回路８７においてカウントされた冷却動作は、ヘッド２（第１電極９）と第２電極１０の双方が肌に触れたときにリセットされるよう制御されている。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、肌に対する通電と冷却を同じヘッド２で行うことができるので、コストを削減できるとともに使い勝手が向上する。
また、通常の使用状態とは異なる状態を生じさせることで使用者に誤った使い方（連続使用）であることを認識させることができる。仮に連続使用された場合でも、送風手段３１の連続駆動により、放熱を促進し、ヘッド２の冷却を行うことができる。
また、一連の冷却動作のカウントのリセットを、肌通電用の第１電極９と第２電極１０で行うことができるので、使用者が意図してリセットをしなくても通常の使用でリセット動作を行うことができる。
【００９４】
さらにこの美容器具は、
グリップ兼用の本体ケース１と、肌面を冷却するヘッド２と、ヘッド２を冷却する冷却部１２と、冷却部１２に接続される放熱用のヒートシンク３０と、ヒートシンク３０に熱交換風を供給する送風手段３１とを備えており、
冷却部１２は、熱電変換素子４４と、同素子４４を間に挟んで低温面側と高温面側に密着される冷熱ブロック４５および温熱ブロック４６とを含み、
温熱ブロック４６にはヒートシンク３０が接続されており、
温熱ブロック４６の体積を冷熱ブロック４５の体積に比べて大きく設定しており、
ヒートシンク３０の体積を温熱ブロック４６の体積に比べて大きく設定しており、
本体ケース１の内部に、熱電変換素子４４および送風手段３１の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると、熱電変換素子４４の駆動はそのまま継続する一方で送風手段３１の駆動は停止し、その後さらに所定時間が経過すると熱電変換素子４４の駆動を停止するよう制御している。
これによりヘッド２の冷却準備時間を短くできるとともに、送風手段３１の駆動が停止されることにより、器具全体の消費電力量を少なくできる。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、熱電変換素子４４の高温面側で発生する熱を、温熱ブロック４６およびヒートシンク３０の両者の熱容量によって、蓄えることができるので、送風手段３１の駆動を意図的に停止することができる。或いは、熱容量が少なければ、送風手段３１用のモーター６６が不用意に止まった場合に、熱電変換素子４４の低温面側が熱くなり、それに伴いヘッド２（接触板３９）が熱くなって使用者に不快な思いをさせる場合があったが、それを防止することができる。
【００９５】
本願発明の第２実施例として、基本構造、基本動作は上記第１実施例と同様だが、ただ実際の手入れの使用時間である所定時間Ｂにおいて、送風手段３１の駆動を停止するのではなく、駆動を制限するという制御を行うこともできる（図１２参照）。つまり、所定時間Ｂにおける送風手段３１の回転数を所定時間Ａにおける回転数よりも小さくして、騒音を低減する。これは、制御回路８７からの電流を抑制してモーター６６の出力を低下することで行う。一連の冷却動作が、連続して所定回数繰り返された場合、本実施例では、３回目の冷却動作のときに、図１３に示すように、所定時間Ｂにおいて制限されていた送風手段３１の駆動が、所定時間Ａのときと同じ状態で駆動して冷却効果を高めることができる。或いは、一連の冷却動作が、連続して所定回数繰り返された場合、点線で示すように所定時間Ａ〜Ｃまでのすべての時間において第１回目（通常使用時）の送風手段３１の駆動状態よりも拡大された駆動状態、つまり送風手段３１を高回転で駆動して冷却効果をより高めるよう制御することもできる。この点については、上記第１実施例にも適用できる。
【００９６】
上記第２実施例の美容器具は、次のような実施形態で実施することができる。
本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１とを備えており、
本体ケース１の内部に、熱電変換素子４４および送風手段３１の駆動を制御する制御回路８７が配置されており、
本体ケース１に設けられるスイッチ３・４の操作を受けて、制御回路８７が、熱電変換素子４４および送風手段３１の駆動を開始し、所定時間が経過すると送風手段３１の駆動を制限し、さらに所定時間が経過すると熱電変換素子４４および送風手段３１の駆動を停止するよう制御している。
これによって、ヘッド２の冷却準備時間を短くできるとともに、送風手段３１の駆動が制限されることにより、器具全体の消費電力量を少なくできる。また、送風手段３１がモーター６６とその回転軸に取り付けられるファン６７を含むものであれば、ヘッド２の冷却準備時間を短くできるとともに、使用時間中は送風手段３１が低騒音となり使用者が快適に肌の手入れを行うことができる。しかも、冷却準備時間中は、送風手段３１の駆動による音が発生していたものが準備時間が終了すればそれが低出力駆動となり音が低減される。これにより使用者は音の変化を認識し使用の可否を判断できるため使い勝手が向上する。
【００９７】
図１４は、本発明の美容器具の第３実施例を示すクール動作のタイミングチャートである。基本構造、基本動作は上記第１実施例と同じであるので、同じ部材に同じ符号を付してその説明を省略する。
【００９８】
この第３実施例では、所定時間Ｂは、ヘッド２を肌に接触させようがさせまいが、マイコンのタイマー回路により、所定時間の９０秒で次の動作に移行するものであったが、所定時間Ｂの９０秒は、人体検知を行っているときの累計時間とすることができる。つまり第２電極１０を含む本体ケース１を手で握ったままで、人体検知用センサを兼ねている冷却用のヘッド２（第１電極９）を肌に接触したり、離したりして、肌の手入れを行うときの、ヘッド２の肌への接触時間の累計のことである。したがって、実際、肌から離した時間はカウントされないため、タイミングｂからタイミングｃまでの使用時間は、９０秒を超える１１０秒となっている。
【００９９】
所定時間Ａではモード表示灯６ｄは点滅状態となっていたが、タイミングｂを過ぎてからは、第２電極１０を含む本体ケース１を手で握ったままで、ヘッド２（第１電極９）を肌に接触したときは、つまり人体検知センサがオン（作動）したときはモード表示灯６ｄは点灯状態となり、離した場合は、人体検知センサがオフとなり点滅状態となる。
【０１００】
肌への接触時間をカウントした累計時間が所定時間の９０秒に達すれば（タイミングｃ）、制御回路８７は、熱電変換素子４４、発光表示手段６ｄの駆動を停止する一方、送風手段３１を駆動する。このタイミングｃのとき、発音表示手段９５が所定時間駆動することで肌の手入れが終了したことを使用者に報知できる。送風手段３１は所定時間（例えば、３０秒）が経過すれば、駆動が停止される（タイミングｄ）。このように、第１電極９、第２電極１０は、クールモード（冷却動作）用の人体検知センサとなっており、ヘッド２の肌への接触時間を正確にカウントできている。したがって、ヘッド２による肌の手入れをほとんど行わないまま終了するのを防止できる。
【０１０１】
人体検知センサは、スイッチがオン操作されて冷却動作が始まれば（タイミングａ）、第１電極９にオフ時間の長い人体検知用の微弱な電流（パルス信号）が送出され、第２電極１０を含む本体ケース１を手で握り、第１電極９を肌にあてがえば、第１電極９から出力される先の微弱な電流（パルス信号）が人体を通り、他方の電極である第２電極１０に入力され、制御回路８７の人体検知信号判定回路がオン状態となり、その信号がマイコンに送出され、人体検知が確定するというものである。この確定時間の累計が所定時間の９０秒に達すれば、制御回路８７が上述したような制御を行う。
【０１０２】
また、肌に対して連続してヘッド２を動かしながら接触させた場合、肌からの熱によりヘッド２の冷却が妨げられて、肌が冷たさを感じなくなるという不具合が生じる虞れがあった。また、肌に対して連続して止めた状態でヘッド２を接触させた場合、逆に肌を冷却し過ぎるという不具合が生じる虞れがあった。そこで、この実施例においては、第１電極９、第２電極１０による人体検知が、連続して所定時間（例えば、１０秒）行われれば（タイミングｂ１）、発音表示手段（ブザー）９５を、「ピピピ・・・」と連続して駆動する。このとき振動表示手段（バイブレータ）３３も同時に駆動する。これによりヘッド２の肌への連続接触を音と振動で警告表示できるようにしている。この発音表示手段（ブザー）９５および振動表示手段（バイブレータ）３３の駆動は、人体検知が行われている間、実行される。人体検知が行われなくなれば、すなわち一方の電極または両方の電極を肌から離せば、発音表示手段（ブザー）９５および振動表示手段（バイブレータ）３３の駆動は停止する（タイミングｂ２）。発音表示手段（ブザー）９５および振動表示手段（バイブレータ）３３は、本実施例のように両者を駆動させてもよいが、どちらか一方を駆動させるように制御させることもできる。なお、この第３実施例では、ヒートシンク３０に熱交換風を供給する送風手段３１は必ずしも必要なく省略できる。
【０１０３】
人体検知センサは、上記以外の次の構造であってもよい。例えば、ヘッド２を本体ケース１に対してフロート自在に構成する。このときヘッド２は本体ケース１内に配設されたばねで押し上げ付勢されている。ヘッド２が沈んだときにヘッド２の下端と当接するマイクロスイッチ、タクトスイッチなどの小型スイッチを本体ケース１の内部に配設する。ヘッド２を肌面に押し付けたとき、ヘッド２がばねの付勢力に抗しながら沈み、小型スイッチがヘッド２の下端に押されてスイッチがオンする。この小型スイッチからの出力信号が制御回路８７に送信される。これによって制御回路８７は、肌への接触が確定したと判断する。すなわち、これを人体検知センサとして、第３実施例の人体検知に関係する制御と同じ制御を行うことができる。
【０１０４】
上記第３実施例の美容機器は、次のような実施形態で実施することができる。
この美容器具は、
グリップ兼用の本体ケース１と、肌面を冷却するヘッド２と、ヘッド２を冷却するための熱電変換素子４４を含む冷却部１２と、人体検知センサとを備えており、
肌面にヘッド２を接触した状態において人体検知センサが作動してヘッド２の肌への接触時間をカウントし、この接触時間が所定時間に達すれば熱電変換素子４４の駆動を停止する。
これにより、ヘッド２の肌への接触時間を正確にカウントでき、ヘッド２による肌への冷却動作がほとんど行われないまま手入れが終了するのを防止できる。
【０１０５】
さらにこの美容器具は、
グリップ兼用の本体ケース１と、肌面を冷却するヘッド２と、ヘッド２を冷却するための熱電変換素子４４を含む冷却部１２と、人体検知センサとを備えており、
ヘッド２が人体検知センサを兼ねており、
本体ケース１の内部に、熱電変換素子４４など器具全体の駆動を制御する制御回路８７が配置されており、
肌面にヘッド２を接触して人体検知センサが作動すれば制御回路８７がその接触時間をカウントし、この接触時間が所定時間に達すれば制御回路８７が熱電変換素子４４の駆動を停止する。
これにより、ヘッド２の肌への接触時間を正確にカウントでき、ヘッド２による肌への冷却動作がほとんど行われないまま手入れが終了するのを防止できる。
また、ヘッド２が人体検知センサを兼ねているので、コストを削減できるとともに使い勝手が向上する。
【０１０６】
さらにこの美容器具は、
グリップ兼用の本体ケース１と、肌面を冷却するヘッド２と、ヘッド２を冷却するための熱電変換素子４４を含む冷却部１２と、人体検知センサとを備えており、
本体ケース１の内部に、熱電変換素子４４などの器具全体の駆動を制御する制御回路８７が配置されており、
人体検知センサは、第１電極９と第２電極１０とを含み、
ヘッド２が第１電極９を兼ねており、
本体ケース１を把持したとき手が触れる箇所に第２電極１０が配置されており、
肌面にヘッド２を接触して第１電極９と第２電極１０の間が人体で導通されたときに人体検知センサが作動し、その作動を受けて制御回路８７が肌に対するヘッド２の接触時間をカウントし、この接触時間が所定時間に達すれば制御回路８７が熱電変換素子４４の駆動を停止する。
これにより、ヘッド２の肌への接触時間を正確にカウントでき、ヘッド２による肌への冷却動作がほとんど行われないまま手入れが終了するのを防止できる。
【０１０７】
さらに上記の美容器具は、次のような実施形態で実施することができる。
グリップ兼用の本体ケース１と、肌面を冷却するヘッド２と、ヘッド２を冷却するための熱電変換素子４４を含む冷却部１２と、冷却部１２に接続される放熱用のヒートシンク３０と、ヒートシンク３０に熱交換風を供給する送風手段３１と、人体検知センサとを備えており、
本体ケース１の内部に、熱電変換素子４４および送風手段３１などの器具全体の駆動を制御する制御回路８７が配置されており、
人体検知センサは、第１電極９と第２電極１０とを含み、
ヘッド２が第１電極９を兼ねており、
本体ケース１を把持したとき手が触れる箇所に第２電極１０が配置されており、
本体ケース１に設けられるスイッチ３・４の操作を受けて、制御回路８７が、熱電変換素子４４および送風手段３１の駆動を開始し冷却準備時間をつくり、
その後所定時間が経過すると、熱電変換素子４４の駆動はそのまま継続する一方で送風手段３１の駆動は停止して冷却使用時間をつくり、この冷却使用時間において、ヘッド２を肌に当てがい第１電極９と第２電極１０の間が人体で導通されたときに人体検知センサが作動し、その作動を受けて制御回路８７が肌に対するヘッド２の接触時間をカウントし、この接触時間が所定時間に達すれば制御回路８７が熱電変換素子４４の駆動を停止する冷却動作を行う。
これによりヘッド２の冷却準備時間を短くできるとともに、送風手段３１の駆動が停止されることにより、器具全体の消費電力量を少なくできる。送風手段３１の駆動が停止されることにより、器具全体の消費電力量を少なくできる。このため、送風手段３１の駆動を停止し消費電力を削減できた分、その他機能の駆動を追加しても全体としてさほど消費電力量を増加させずにすむ。また、送風手段３１がモーター６６とその回転軸に取り付けられるファン６７を含むものであれば、ヘッド２の冷却準備時間を短くできるとともに、使用時間中はその駆動が停止されるため使用者が快適に肌の手入れを行うことができる。しかも、冷却準備時間中は、送風手段３１の回転による音が発生していたものが準備時間が終了すればそれが停止する。これにより使用者は音の変化を認識し使用の可否を判断できるため使い勝手が向上する。
また、ヘッド２の肌への接触時間を正確にカウントでき、ヘッド２による肌への冷却動作がほとんど行われないまま手入れが終了するのを防止できる。
また、ヘッド２が人体検知センサを兼ねているので、コストを削減できるとともに使い勝手が向上する。
【０１０８】
さらにこの美容器具は、次のような実施形態で実施することができる。
グリップ兼用の本体ケース１と、肌面を冷却するヘッド２と、ヘッド２を冷却するための熱電変換素子４４を含む冷却部１２と、人体検知センサとを備えており、
ヘッド２が人体検知センサを兼ねており、
本体ケース１の内部に、熱電変換素子４４など器具全体の駆動を制御する制御回路８７が配置されており、
肌面にヘッド２を接触して冷却を行う際、人体検知センサが作動し、
人体検知センサが作動すれば制御回路８７がその作動時間をカウントし、
人体検知センサが連続して所定時間作動すれば発音表示手段９５を駆動し、その駆動は、人体検知が作動している間、実行される。
したがって、ヘッド２が人体検知センサを兼ねているので、コストを削減できるとともに使い勝手が向上する。
また、使用者に対して音によってヘッド２が肌に連続接触されていることを警告できる。
【０１０９】
さらにこの美容器具は、
グリップ兼用の本体ケース１と、肌面を冷却するヘッド２と、ヘッド２を冷却するための熱電変換素子４４を含む冷却部１２と、人体検知センサとを備えており、
本体ケース１の内部に、熱電変換素子４４などの器具全体の駆動を制御する制御回路８７が配置されており、
人体検知センサは、第１電極９と第２電極１０とを含み、
ヘッド２が第１電極９を兼ねており、
本体ケース１を把持したとき手が触れる箇所に第２電極１０が配置されており、
肌面にヘッド２を接触して第１電極９と第２電極１０の間が人体で導通されたときに人体検知センサが作動し、人体検知センサが連続して所定時間作動すれば  発音表示手段９５を駆動し、その駆動は、人体検知が作動している間、実行される。
したがって、ヘッド２が人体検知センサを兼ねているので、コストを削減できるとともに使い勝手が向上する。
また、使用者に対して音によってヘッド２が肌に連続接触されていることを警告できる。
【０１１０】
さらにこの美容器具は、
グリップ兼用の本体ケース１と、肌面を冷却するヘッド２と、ヘッド２を冷却するための熱電変換素子４４を含む冷却部１２と、人体検知センサとを備えており、
本体ケース１の内部に、熱電変換素子４４などの器具全体の駆動を制御する制御回路８７が配置されており、
人体検知センサは、第１電極９と第２電極１０とを含み、
ヘッド２が第１電極９を兼ねており、
本体ケース１を把持したとき手が触れる箇所に第２電極１０が配置されており、
肌面にヘッド２を接触して第１電極９と第２電極１０の間が人体で導通されたときに人体検知センサが作動し、その作動を受けて制御回路８７が肌に対するヘッド２の接触時間をカウントし、この接触時間が所定時間に達すれば制御回路８７が熱電変換素子４４の駆動を停止し、
また、人体検知センサが作動すれば制御回路８７がその作動時間をカウントし、
人体検知センサが連続して所定時間作動すれば発音表示手段９５を駆動し、その駆動は、人体検知が作動している間、実行される。
したがって、ヘッド２の肌への接触時間を正確にカウントでき、ヘッド２による肌への冷却動作がほとんど行われないまま手入れが終了するのを防止できる。
また、ヘッド２が人体検知センサを兼ねているので、コストを削減できるとともに使い勝手が向上する。
また、使用者に対して音によってヘッド２が肌に連続接触されていることを警告できる。
【０１１１】
上記第１〜第３実施例では、電源オフの状態から先ず電源ボタン３をオン操作し、その後モードボタン４をオン操作して、第４モードであるクールモード（冷却動作）を行うようにしているが、例えば冷却機能のみの単機能の美容器具とすることができ、この場合は、電源ボタン４をオン操作するだけで、冷却動作がスタートするものとなる。この場合も冷却動作は、第１実施例とすべて同じ制御を行うものとする。また、上記実施例では、冷却動作の駆動用スイッチである電源ボタン３、モードボタン４をプッシュ式のスイッチとしたが、それに限らず、プル式のスイッチやスライド式のスイッチであってもよい。
【０１１２】
図１５は本発明に係る第４実施例を示す概略図である。基本構造、基本動作は上記第１実施例と同じであるので、同じ部材に同じ符号を付してその説明を省略するが、本実施例の美容器具においては、本体ケース１が、冷却部１２が内蔵されるグリップケース１Ａと制御回路８７が内蔵されるコントロールケース１Ｂとに分離されている。
【０１１３】
図１５に示すように、グリップケース１Ａとコントロールケース１Ｂとは電力供給用のコード１２５を介して接続されている。グリップケース１Ａの前面の上部にはヘッド２を有し、下方の左右側面には、第２電極１０を有している。グリップケース１Ａの内部には、冷却部１２と、冷却部１２に接続されるヒートシンク３０、送風手段３１、およびバイブレータ３３が設けられている。コントロールケース１Ｂの内部には、器具全体の駆動を制御する制御回路８７と、制御回路８７や、冷却部１２、送風手段３１、バイブレータ３３、発音表示手段９５など機能部に電力を供給する電源部としてのバッテリー１４０が設けられる。コントロールケース１Ｂの上面には、電源投入用の電源ボタン（スイッチ）３と、運転モードを切り換えるモードボタン（スイッチ）４と、運転モードの違いに応じて点灯される４個のＬＥＤからなるモード表示灯（発光表示手段）６ａ、６ｂ、６ｃ、６ｄとが設けられている。
【０１１４】
電源ボタン（スイッチ）３とモードボタン（スイッチ）４をオン操作することで、制御回路８７が制御動作を行い、コントロールケース１Ｂ側からコード１２５を介して冷却部１２、送風手段３１、バイブレータ３３、発音表示手段９５など機能部を搭載するグリップケース１Ａ側に駆動電流が供給される。
【０１１５】
また、コントロールケース１Ｂには、電力供給用のコード１２６を介して超音波式の美容器具１２１が連結されている。美容器具１２１は、グリップケース１２７と、グリップケース１２７の前面の上部に固定されるヘッド１２３と、グリップケース１２７内に設けられヘッド１２３に超音波振動を与えることができるピエゾ素子（超音波振動手段）１２２とを有している。美容器具１２１を制御する制御回路は上記冷却式の美容器具の制御回路８７と共用しており、コントロールケース１Ｂの上面に、美容器具１２１用の電源ボタン１２４と駆動表示灯１２３が設けられている。
【０１１６】
電源ボタン１２４をオン操作すれば、制御回路８７が制御動作を行い、コントロールケース１Ｂ側からコード１２６を介してグリップケース１２７側に駆動電流（パルス電流）が供給され、その駆動電流によりピエゾ素子（超音波振動手段）１２が駆動する。このとき駆動表示灯１２３にも駆動電流が供給されて発光する。
【０１１７】
このように、本体ケース１を、冷却部１２が内蔵されるグリップケース１Ａと制御回路８７が内蔵されるコントロールケース１Ｂとに分離すれば、冷却部１２を含むグリップケース１Ａ側が軽量化されて使用者が快適に肌の手入れを行うことができる。
【０１１８】
上記実施例では、イオン導入機能を備えた美容器具について説明したが、イオン導入機能は省略することができる。その場合には、パルス電流を供給する第２電極１０を省略するとよい。また、イオン導入機能に換えて或いはイオン導入機能に加えて、ヘッド２の内部にピエゾ素子（超音波振動手段）を設けて、ヘッド２を超音波振動させることができる超音波振動機能を設けることもできる。この場合も冷却動作の所定時間Ｂの際にピエゾ素子（超音波振動手段）を駆動させることができる。本発明に係る美容器具は、顔肌の冷却・通電以外に、首周りの肌や胸周りの肌の冷却・通電を行う場合にも使用される。
【０１１９】
熱交換通路６０は、シンクベース５４と後ケース１ｂの前後間隔を下すぼまり状とする以外に、左右方向の間隔を下すぼまり状にし、あるいは前後間隔と左右間隔の両者を下すぼまり状に構成することができる。ヒートシンク３０は、シンクベース５４の前後面のそれぞれにフィン５５を設ける形態を採ることができる。
【符号の説明】
【０１２０】
１  本体ケース
２  ヘッド
６ｄ  発光表示手段
１２  冷却部
１３  通風エリア
１５  電気部品エリア
１７  区画リブ
１８  カバー体
３０  ヒートシンク
３１  送風手段
３２  変向体
３３  バイブレータ
３９  接触板
４４  ペルチェ素子
５４  シンクベース
５５  フィン
６０  熱交換通路
６１  吸込み口
６２  排出口
６８  変向壁
９５  発音表示手段
【図１】
0005719183.tif 000002
【図２】
0005719183.tif 000003
【図３】
0005719183.tif 000004
【図４】
0005719183.tif 000005
【図５】
0005719183.tif 000006
【図６】
0005719183.tif 000007
【図７】
0005719183.tif 000008
【図８】
0005719183.tif 000009
【図９】
0005719183.tif 000010
【図１０】
0005719183.tif 000011
【図１１】
0005719183.tif 000012
【図１２】
0005719183.tif 000013
【図１３】
0005719183.tif 000014
【図１４】
0005719183.tif 000015
【図１５】
0005719183.tif 000016